(57)【要約】【課題】コードテンプレートのＮ極アレイまたはＳ極アレイの後方のコード化位置内に位置するように、装置内に挿入されたキーを正確に位置決めし、コード化中にコードテンプレートを移動させなくてもよいようにする。【解決手段】カードキーを磁気的にコード化するための装置であって、Ｎ磁極のコード化をするための領域、およびＳ磁極のコード化をするための領域を有する正面プレートを備え、各領域は、多数の孔を有し、かつ、正面プレート内の選択された孔に対応する少数の孔を有し、正面プレートに取り付け可能なコードテンプレートと、コードテンプレートおよび正面プレート内の孔に挿入されるようなサイズとした、Ｎ極およびＳ極の永久磁石コード化ツールを有し、更に、正面プレートのＮ極領域またはＳ極領域の近くにカードキーを置くとともに、容易にアクセスできるよう、適当なコード化ツールを位置決めできるよう、ツールホルダーに結合され、移動自在に接続されたカードキーホルダーも備えている。この装置は、カードキーの便利で、正確かつエラーのない磁気コード化を可能にする。【選択図】図８
2009501971.tif 000002
【特許請求の範囲】
【請求項１】
Ｎ磁極をコード化するための領域、およびＳ磁極をコード化するための領域を備え、各領域は多数の開口部を有する正面プレートと、
Ｎ極の永久磁石コード化ツール、およびＳ極の永久磁石コード化ツールとを備え、
これらコード化ツールは、前記正面プレートにおける開口部内に挿入されるサイズとなっており、
前記装置に移動自在に接続され、かつ前記正面プレートのＮ磁極部分、またはＳ磁極部分の近くに、前記カードキーを置くためのカードキーホルダーとを備え、
もって、前記コード化ツールにより、前記カードキーを磁気的にコード化するようになっている、カードキーを磁気的にコード化するための装置。
【請求項２】
前記装置上に１つ以上の整合ピンを更に備え、もって、インデックス孔を有するコードテンプレートを前記装置に整合できるようになっている、請求項１記載の装置。
【請求項３】
前記正面プレート内の選択された孔に対応する複数の開口部を有し、かつ前記正面プレートに取り付け可能なコードテンプレートを備える、請求項１記載の装置。
【請求項４】
前記装置に、前記カードキーホルダーがスライド可能に接続されている、請求項１記載の装置。
【請求項５】
使用しないときに、前記永久磁石のコード化ツールを保管するための、前記装置に接続された磁気コード化ツールホルダーを更に備える、請求項１記載の装置。
【請求項６】
前記ツールホルダーは、前記正面プレートのＮ極領域およびＳ極領域の近くの部分の間において、前記装置に移動自在に接続されるとともに、前記位置において、アクセスを容易にするよう、前記装置から前記コード化ツールのうちの１つしか突出しないように構成されている、請求項５記載の装置。
【請求項７】
前記ツールホルダーは、前記装置にスライド自在に接続されている、請求項５記載の装置。
【請求項８】
前記カードキーホルダーとツールホルダーとは、互いに結合されている、請求項６記載の装置。
【請求項９】
前記カードキーホルダーと前記ツールホルダーとは、互いに結合されている、請求項７記載の装置。
【請求項１０】
前記正面プレートのＮ極領域内の開口部の後方では、あるカラーとなっており、前記正面プレートのＳ極領域内の開口部の後方では異なるカラーとなっている、かつ前記正面プレートの後方に位置するベースプレートを更に備える、請求項４記載の装置。
【請求項１１】
前記正面プレートにコードテンプレートを取り付けできるよう、前記装置に接続されたクリップを更に備える、請求項１記載の装置。
【請求項１２】
前記ツールホルダーは、前記コード化ツールを引き寄せ、保持するための磁石を更に含む、請求項５記載の装置。
【請求項１３】
前記Ｎ極のコード化ツールおよび前記Ｓ極のコード化ツールは、識別の目的のために、異なるカラーにコード化されている、請求項１記載の装置。
【請求項１４】
前記正面プレートのＮ極領域またはＳ極領域の近くに位置するとき、前記カードキーを保持する前記装置に接続された少なくとも１つのブラケットを更に含む、請求項１記載の装置。
【請求項１５】
Ｎ磁極でコード化するための領域、およびＳ磁極でコード化するための領域を有し、各領域は、多数の孔を有する正面プレートと、
Ｎ極の永久磁石でコード化するツール、およびＳ極の永久磁石でコード化するツールを備え、これらコード化ツールは、前記正面プレートの前記孔内に挿入されるサイズとなっており、
前記正面プレートのＮ極領域またはＳ極領域の近くに、前記カードキーを設置するための、前記装置にスライド可能に接続されたカードキーホルダーと、
使用しないときに、前記永久磁石によるコード化ツールを保管するための、前記カードキーホルダーに結合された磁気コード化ツールホルダーを備える、カードキーを磁気的にコード化するための装置。
【請求項１６】
前記正面プレート内の選択された孔に対応する複数の開口部を有し、前記正面プレートに取り付け可能なコードテンプレートを更に備える、請求項１５記載の装置。
【請求項１７】
前記正面プレートのＮ極領域に、前記カードキーホルダーが接近しているとき、容易にアクセスできるよう、前記装置から前記コード化ツールが突出し、前記カードキーホルダーが、前記正面プレートのＳ極領域に前記カードキーが接近するとき、容易にアクセスできるよう、前記装置から、前記Ｓ極のコード化ツールが突出するように構成されている、請求項１５記載の装置。
【請求項１８】
前記コードテンプレートを正面プレートに取り付けるための、前記装置に接続されたクリップを更に含む、請求項１６記載の装置。
【請求項１９】
前記装置と共に、前記クリップは、前記装置のための直立したスタンドを形成している、請求項１８記載の装置。
【請求項２０】
前記正面プレートのＮ極領域またはＳ極領域に接近するとき、前記カードキーを保持するように、前記装置に接続された1対のアングルブラケットを更に含む、請求項１５記載の装置。
【発明の詳細な説明】
【技術分野】
【０００１】
本願は、２００５年７月１６日に出願された米国仮特許出願第60/700,032号に基づくものであり、本発明は、磁気カードをコード化するための機械装置に関する。
【背景技術】
【０００２】
「金属磁気キー」を発明の名称とし、セドレーを発明者とする米国特許第4,077,242号に記載のような磁気キーカードは、カードロックを作動させるための、別々の磁気領域の特定の位置をコード化するのに、かなりの量の磁気エネルギーを必要とし、このカードロックは、ロック、例えばセドレーを発明者とする米国特許第4,133,194号に記載のような「磁気キーで操作されるドアロック」のコードを形成するため磁気ピンタンブラーを使用している。永年に亘って利用されている方法は、「ハンドヘルドの磁気エンコーダ」を発明の名称とし、セドレーを発明者とする、米国特許第4,128,851号に記載されているような電子装置を使用する方法である。
【発明の開示】
【発明が解決しようとする課題】
【０００３】
近年における新しい永久磁気材料、例えば極めて強力な磁気特性を有するネオジムの開発によって、磁気強度が十分となったので、適当なサイズの磁石を形成し、この磁石を磁気キーに接触させるだけで、ロック内の磁気ピンタンブラーを作動させるのに十分な強度の磁気領域を形成できる。
【０００４】
永久磁石は、互いに異なるＮ極とＳ極とを有するので、キーの上に形成される磁気領域の極性は、キーの上に磁化された領域を形成するのに、磁石のいずれの端部を使用したかに応じて、Ｎ極またはＳ極のいずれかとなる。
【０００５】
このように、磁気キーをコード化できる装置を使用する利点は、コード化装置のために電力を使用しなくてもよく、このコード化装置内で故障することが多い部品、例えば装置をオンにしたり、または極性を変える電気スイッチが、コード化を誤らせる要因とならないことである。
【０００６】
電気コード化装置が、バッテリーで作動されるとき、次のような問題が常に生じる。すなわち、バッテリーが弱くなって、その結果生じるキーの上の磁気領域も弱くなり、コードの強度が十分でないことを、コード化を試みる人が知らないことがあり、その場合、キーを与えられた人が、そのキーを使ってロックを解錠できないという問題が生じる。
【０００７】
磁気タンブラーピンを作動するのに、コード状をした特定の磁気領域によってキーをコード化するためには、磁気領域の一を正確に定めなければならない。そうしないと、ロック内のロッキング位置からピンを取り出せないことがある。
【０００８】
セドレーを発明者とする米国特許第4,128,851号に記載されているような、コード化装置が通常使用される。これによると、挿入されたキーに磁気領域が当接できる正確な位置に、孔が穿孔されたプレートの後方において、コード化するべきキーを、マニュアルでこのコード化キー内に挿入するようになっている。この孔は、コード化装置の先端を挿入できるサイズとなっており、コード化装置は、装置内の電子回路によって附勢されると、Ｎ極またはＳ極の強力な磁界を発生し、この磁界は、所定の孔の位置でキーに移る。
【０００９】
カード上の磁気領域のどの部分をコード化するのかの記録を作成するために、まず紙またはプラスチックシートであるコードテンプレートを作成する。この紙またはシートには、特定タイプの磁気ロックのためのキーにコード化できる磁気領域の完全なアレイのパターンがプリントされている。一般に、孔パンチまたは他のツールを用いて、このコードテンプレートから、特殊な孔がパンチアウトされている。
【００１０】
このようなコードテンプレートの好ましい例では、カード上に２つの同一のアレイの磁界が並置される。キーをカードロックに挿入したときに、キーの磁気領域により、ロック内のどのピンタンブラーが影響を受けるかを識別するために、孔の位置には番号が付けられている。
【００１１】
一般に、番号の列のうちの１つは、Ｎ極の磁気領域のすべてをコード化するためのものであり、他方は、Ｓ極の領域のすべてをコード化するためのものである。１つの列内に双方の極性がパンチされ、コード化する人が、コード化するべきカード内の孔を選択しながら、極性を変更しなければならない場合、２つの別々の領域を使用することによって、潜在的なエラーが減少する。更に、このようにコード化する間、１つ以上の孔で、間違いも起こしやすい。
【００１２】
しかし、コード化するべきキーを挿入するためのキースロットを１つしか有していないコード化装置と共に、番号の２つのアレイを有するカードを使用するには、コード化するべきキーに第２のアレイを重ね、次にキー上で、それら領域をコード化できるように、第１の極性部分をコード化した後に、コードテンプレートカードを移動させなければならない。
【００１３】
本発明の第１の目的は、電子コード化装置の必要性を解消すると共に、永久磁石を使用して、キーをコード化することにある。
【００１４】
本発明の第２の目的は、コード化のためにキーを挿入するようにした、改良されたコード化装置を提供することにある。
【００１５】
本発明の第３の目的は、コードテンプレートのＮ極アレイまたはＳ極アレイの後方のコード化位置内に位置するように、装置内に挿入されたキーを正確に位置決めし、コード化中に、コードテンプレートを移動させなくてもよい手段を提供することにある。
【００１６】
本発明の第４の目的は、スプリング押圧されたクリップにより、コードテンプレートをコード化装置の上の所定位置に保持するための手段を提供することにある。
【００１７】
本発明の第５の目的は、キーをコード化するのに使用する永久磁石ツールと、コード化するべきキーを挿入するコード化装置とを、１つの装置を組み合わせることにある。
【００１８】
本発明の第６の目的は、一方が、Ｎ極の磁気領域だけをコード化し、他方が、Ｓ極の磁気領域だけをコード化するような２つの永久磁石ツールを作成することにある。
【００１９】
次の詳細な説明、および添付図面を検討すれば、本発明の上記以外の利点が明らかとなると思う。
【課題を解決するための手段】
【００２０】
カードキーを磁気的にコード化するための装置は、Ｎ磁極のコード化をするための領域、およびＳ磁極のコード化をするための領域を有する正面プレートを備え、各領域は、比較的多数の孔を有し、更にこの装置は、正面プレート内の選択された孔に対応する、より少数の孔を有するとともに、正面プレートに取り付け可能なコードテンプレートと、コードテンプレートおよび正面プレート内の孔に挿入されるようなサイズとされた、Ｎ極およびＳ極の永久磁石コード化ツールとを含んでいる。
【００２１】
この装置は、正面プレートのＮ極部分またはＳ極部分の近くにカードキーを置くよう、装置に移動自在に接続されたカードキーホルダーも備えている。この装置は、使用しないときに、永久磁石のコード化ツールを保管するよう、装置に接続された磁気コード化ツールホルダーも備えていることが好ましく、このツールホルダーは、コード化ツールを引き寄せ、保持するための磁石を含んでいる。カードキーホルダーとコード化ツールホルダーとを共に結合し、装置に対してスライド可能に結合することが好ましい。
【００２２】
カードキーホルダーが、正面プレートのＮ極部分の近くにあるとき、容易にアクセスできるよう、装置からＮ極のコード化ツールが突出し、カードキーホルダーが正面プレートのＳ極部分に接近しているとき、容易にアクセスできるよう、装置からＳ極コード化ツールが突出する。
【００２３】
このコード化ツールは、カラーでコード化されていることが好ましい。例えば、Ｎ極に対しては青、Ｓ極に対しては赤でコード化することが好ましい。
【００２４】
この装置は、正面プレートのＮ極部分内の孔の後方において、あるカラー（例えば青色）とし、正面プレートのＳ極部分の孔の後方を、別のカラー（例えば赤色）とした前方プレートの後方に位置するベースプレートも備えていることが好ましい。最後に、装置はコードプレートを正面プレートに取り付けるための、装置に接続されたクリップも備えていることが好ましく、このクリップは、ベースプレートと共に、装置を直立した状態に維持するためのスタンドとして機能する。
【発明を実施するための最良の形態】
【００２５】
まず、主に図１〜図４を参照する。コード化装置１０は、２つの永久磁石コード化ツール１４、１６のための中空チューブ１２の形態をしたツールホルダーを有し、このツールホルダーの中心には、永久磁石１３が取り付けられており、チューブ１２内に正しいツール１４または１６が挿入されると、これらのツールは、内部の磁石１３に引き寄せられ、所定位置に保持される。
【００２６】
誤ったツール１４または１６が挿入されると、そのツールは、内部の磁石１３により反発６を受ける。このように、使用後、または保管中には、ツール１４、１６は、それぞれのチューブ１２内にしか入れることができない。内部磁石１３は、ツール１４、１６に対するキーパーとしても働き、それらの磁気強度を維持するように働く。
【００２７】
ツール１４、１６が挿入されたチューブ１２は、コード化のためにキー２０を挿入するコード化装置１０のスライドカードホルダー部分１８に固定されている。チューブ１２を、水平方向に引くか、押すかすると、スライダー１８は、磁気領域のいずれかの極性をコード化するために、チューブ１２を正しく位置決めするよう、スライダー１８は、コード化装置１０のいずれかの側へ移動される（例えば図５、図１０）。
【００２８】
更に、Ｎ極位置とＳ極位置の間には中心位置もあり、この中心位置に、スライダー１８を置くと、キー２０をロードしたり、アンロードしたりでき、コード化装置１０は使用状態にない（例えば図３、１４）。この際、中心位置では、ツール１４、１６はコード化装置１０の側面から突出することはない。
【００２９】
チューブ１２をスライド部材１８に固定すると、コード化装置１０のエッジから外側に、正しいツール１４または１６が突出するので、コード化する人にとって、コードテンプレート２２の側面において、孔のアレイのをコード化に使用するため、固定されたチューブ１２からツールを引き出すことが容易となる（図５）。
【００３０】
磁気ツール１４または１６を、チューブ１２に戻した後、ツール１０を横断するよう挿入されたキー２０を支持するスライド部材１８を、水平方向に押し、ツール１０の反対側にある対応する位置に移動し、この位置で、コード化の極性に対する磁気ツール１４または１６を伸長させ、チューブ１２から容易に引き出すことができるようにし、その側でのコード化が完了すると、交換のためにチューブ１２内に挿入できる（図９〜図１３）。
【００３１】
正面プレート２４は、１対のアングルブラケット１９、２１（図３、図４）をも備え、これらのブラケットは、キー２０が移動するのを制限するとともに、例えばコード化装置が後方に傾けられた場合に、キー２０が装置１０から落下するのを防止するよう、キー２０を左右のコード化位置に捕捉するように働く（例えば図９、図１１）。中心位置では、アングルブラケット１９、２１は、キー２０を囲まず、このキーを自由に取り出したり、または挿入したりすることができる（図４、図１７）。
【００３２】
コードテンプレート２２内の孔３４、およびコード化装置１０内のキー２０をカバーするプレート２内の対応する整合孔３６を通して、キー２０の表面に磁気ツール１４または１６の先端部を接触させるだけで、コード化を実行することができる（図８、図１２）。
【００３３】
コード化装置１０を別に変更することなく、コード化装置上に、別の孔３６のパターンの正面プレート２４を設置できるので、孔の２つのアレイを含む正面プレート２４を変えるだけで、同じ装置１０により、磁気領域の別のアレイ位置を使ってキー２０をコード化することができる。
【００３４】
コード化装置１０へのコードテンプレート２２の正しい整合を容易にするために、各アレイをコード化する前に、コードテンプレート２２の対応する孔内に、装置１０内の整合ピン２６を位置決めする。
【００３５】
これまでは、装置１０の表面に、コードテンプレートを保持する必要があった。そうしないと、コード化中にテンプレートが落下する可能性があった。
【００３６】
コード化装置１０の正面の底部を横断するように、コードテンプレート２２を所定位置に保持するスプリングクリップ２８が位置しており、親指でクリップ２８を押すと、係止アーム３０が装置１０の表面から離間するので、整合ピンの上にコードテンプレートを挿入し、位置決めすることができる。クリップ２８が解放されると、そのアーム３０は、コードテンプレート２２に接触し、コード化中、テンプレートをコード化装置１０の表面２４上に保持する。完了時に、再びクリップ２８を開け、コードテンプレート２２を除く（図１５、１６）。
【００３７】
クリップ２８の外側プレートが押されると、クリップ２８は枢動して開き、クリップが開いていないとき、スプリングがクリップ２８を押圧するようになっている。コード化装置１０のベースプレート３２の前方には、クリップ２８の底部エッジが位置し、このエッジは、テーブルの天板のスペースを確保するために、使用されていないときは、コード化装置１０全体をテーブル上に直立させる手段となっている（図２）。
【００３８】
図１８に良好に示されるように、孔３６の後方のベースプレート３２は、Ｎ極の場合青にペイントされ、Ｓ極の場合、赤にペイントされているので、キー２０が挿入されていない場合、青または赤の色は、孔３６を通して、その位置にキー２０がないことが示めされる。このことは、コード化をしている人が、カード２０を反対側までスライドすることを忘れ、コード化装置１０内で空の孔３６をコード化するような状況を防止するのに役立つ。青または赤のカラーは、コードテンプレート２２内の孔３４を通し、その位置にキー２０がないこと、更に、その側面をコード化すべきでないことを示す。
【００３９】
スライドキャリア１８の３つの位置、すなわち中心位置、Ｎ極位置、およびＳ極位置は、キャリア１８内のボールディテント（図示せず）によって定められている。従って、これら３つの位置のうちのいずれかにあるとき、スライダー１８は正しく所定位置に保持され、他の位置のうちの１つに押されるまで、その位置から移動することはない。
【００４０】
以上、本発明の好ましい実施例の構造について説明したので、次にその機能、作動および使用について説明する。
【００４１】
図４〜図１７は、本発明に係わる磁気カードを機械式にコード化する際のステップのシーケンスを示す。まず、正面プレート２４の前方にあるコード化装置１０に、コードテンプレート２２を挿入し、２本の整合ピン２６によって位置決めし、クリップ２８（図６）により所定位置に保持し、スライディングホルダー１８内にカードキー２０を挿入する（図４）。
【００４２】
次に、正しいツール１５が容易にアクセスできるよう、青色のコードのＮ極ツール１５が、ベースプレート３２のエッジを越えて突出するように、カードホルダー１８とツールホルダー１８の組み合わせを一方の側にスライドさせる。
【００４３】
次に、ツールホルダー１２からツール１４を取り出し、コードテンプレート２２（および前方プレート２４）内の孔３４を通し、カードキー２０に接触させ、カードキーを磁気的にコード化する。
【００４４】
テンプレート２２内の孔３４の各々に対して、これらのステップを繰り返す（図８）。この位置では、キー２０は、アングルブラケット１９により、スライディングホルダー１８内に保持されることに留意されたい（図９）。
【００４５】
次に、ホルダー１２内でツール１４を交換し、ツールを横断するよう、他方の側までスライドさせる（図９、図１０）。ここで、他方のアングルブラケット２１により、キー２０を保持する（図１０、図１１）。赤色のコード１７の付いたＳ極ツール１６を取り出し、これを使って、キー２０のコード化を完了する（図１１、図１２）。Ｓ極ツール１６に置き換え、ホルダー１２を中心位置までスライドさせる（図１３、図１４）。次に、クリップ２８の３つの係止アーム３０を開け、テンプレート２２を除き（図１５、図１６）、アングルブラケット１９、２１から、コード化されたカードキー２０を除く（図１７）。
【００４６】
以上、本発明を、特定の実施例に関連して説明したが、本発明の要旨から逸脱することなく、本発明の別の変形例を想到できると思う。なお、全体にわたってプレートなる用語を使用したが、特定の材料、または厚さに限定する意図はない。
【００４７】
別の例として、本発明を使用する方法として、所定の順序による所定のステップの概略を述べたが、これらステップおよびその順序を変えることができる。本発明は、特許請求の範囲のみによって定められるものである。
【図面の簡単な説明】
【００４８】
【図１】本発明のコード化装置の前方斜視図である。
【図２】装置の側面図である。
【図３】装置の背面図である。
【図４】装置のスライダーの中心位置でのコード化すべきキーの挿入を示す正面図である。
【図５】キーの上でＮ極の磁気領域をコード化するための位置に、スライダーが移動していることを示す背面図である。
【図６】コード化のためにパンチングされた孔が、所定位置にあるコードテンプレートを示す正面図である。
【図７】挿入されたキー上に、Ｎ極の磁気領域をコード化する磁石ツールを除いた側面図であって、Ｎ極であることを識別するように、バレルのまわりに巻かれた青いバンドによりカラーでコード化されていることを示す。
【図８】挿入されたカード上に、Ｎ極の磁石領域のうちの１つをコード化するための磁石コードを使用している状態を示す図である。
【図９】コード化装置の後部にあるチューブに、青色磁石ツールを挿入していることを示す図である。
【図１０】キーにＳ極の磁石領域をコード化するために、装置の反対側に挿入されたキーを支持するスライダーを押している状態を示す図である。
【図１１】取り付けチューブから赤色バンドが付けられた（Ｓ極の）磁石ツールを引き出している状態を示す図である。
【図１２】挿入されたキーにＳ極の磁気領域をコード化するために、赤色ツールを使用していることを示す図である。
【図１３】すべてのＳ極の磁気領域をコード化した後に、チューブにツールを挿入していることを示す図である。
【図１４】挿入されたキーと共にスライダーを中心位置に戻す状態を示す。
【図１５】コードテンプレート２を除くためにクリップを開放している状態を示す図である。
【図１６】装置からコードテンプレートを除いている状態を示す図である。
【図１７】スライド部材からコード化されたキーを除いている状態を示す図である。
【図１８】正面プレート孔を通して見ることができる極性を識別するカラーを示す、キーが挿入されていない状態からのコード化装置の正面の図である。
【図１９】Ｎ極位置にあるスライダー内のキーおよびキーを見ることができなくなった青色カラープレートを示す図である。
【符号の説明】
【００４９】
１０    コード化装置
１２    ツールホルダーまたは中空チューブ
１３    ホルダーの内側磁石
１４    ツールをコード化する永久磁石
１６    ツールをコード化する永久磁石
１５    コード化ツール上のカラーストライプ
１７    コード化ツール上のカラーストライプ
１８    スライドカードホルダー部分またはスライダー
１９    アングルブラケット
２１    アングルブラケット
２０    カードキー
２２    コードテンプレート
２４    正面プレート
２６    整合ピン
２８    スプリングクリップ
３０    係止アーム
３２    ベースプレート
３４    コードテンプレート孔
３６    ベースプレート孔
【図１】
2009501971.tif 000003
【図２】
2009501971.tif 000004
【図３】
2009501971.tif 000005
【図４】
2009501971.tif 000006
【図５】
2009501971.tif 000007
【図６】
2009501971.tif 000008
【図７】
2009501971.tif 000009
【図８】
2009501971.tif 000010
【図９】
2009501971.tif 000011
【図１０】
2009501971.tif 000012
【図１１】
2009501971.tif 000013
【図１２】
2009501971.tif 000014
【図１３】
2009501971.tif 000015
【図１４】
2009501971.tif 000016
【図１５】
2009501971.tif 000017
【図１６】
2009501971.tif 000018
【図１７】
2009501971.tif 000019
【図１８】
2009501971.tif 000020
【図１９】
2009501971.tif 000021
【国際調査報告】
2009501971.tif 000022